(57)【特許請求の範囲】
【請求項１】
電気差込コネクタであって、第１のハウジング半部と第２のハウジング半部とから成り、該第１のハウジング半部（２）は、それぞれ反対側に位置する２つのＵ字形の湾曲ロック部材（８）を備え、該湾曲ロック部材（８）は、それぞれ両側で支承ピン（１２）に旋回可能に保持され、該湾曲ロック部材（８）は、それぞれ両側で係止突部（９）を備え、該係止突部（９）は、凹部（１１）を備え、該凹部（１１）は、湾曲ロック部材（８）を閉鎖する際に、それぞれ第２のハウジング半部（３）のロックピン（１３）に作用し、その際、両方のハウジング半部（２，３）が相互に押し合わされるようになっており、湾曲ロック部材（８）は、側方のシールド（７）を備え、該シールド（７）は、システム差込コネクタがロックされた状態で、第１のハウジング半部（２）の支承ピン（１２）および第２のハウジング半部（３）のロックピン（１３）をカバーし、各シールド（７）は、支承ピン収容部（２２）とロックピン（１３）との間に真っ直ぐな側面（１７）を備えるものにおいて、
第１のハウジング半部（２）は、少なくとも１つのブリッジ（４）を備え、該ブリッジ（４）は、第１のハウジング半部の差込方向に隆起して形成されており、該ブリッジ（４）は、両方のハウジング半部（２，３）が組み合わされた状態で、第２のハウジング半部（３）の、ブリッジ（４）のために設けられた凹部（６）に進入し、その際、ハウジング半部は、正確に嵌り合うように上下に位置し、第１のハウジング半部（２）は、個別の差込モジュールとして構成された電気コンタクト要素のための収容領域（１６）を備えることを特徴とする、電気差込コネクタ。
【請求項２】
それぞれ反対側に位置する湾曲ロック部材（８）のシールド（７）の側面（１７）は、ロックされた状態で、相互に平行に向けられる、請求項１記載の電気差込コネクタ。
【請求項３】
電気差込モジュール用の収容領域（１６）は、係止フック（１９）を備え、該係止フック（１９）は、差込モジュールに設けられた、該係止フック（１９）に対応する凹部に係止可能である、請求項１記載の電気差込コネクタ。
【請求項４】
第１のハウジング半部（２）は、シールリング（１０）を取り付けるのに適切な環状に延びるカラー（１８）を備える、請求項１から３までのいずれか１項記載の電気差込コネクタ。
【請求項５】
第２のハウジング半部（３）に保持枠（２０）が挿入可能であり、該保持枠（２０）は、個別の差込モジュールとして構成された電気コンタクト要素を収容するのに適切な収容領域（１６）を備える、請求項１から４までのいずれか１項記載の電気差込コネクタ。
【請求項６】
保持枠（２０）は、第２のハウジング半部（３）の凹部に係止可能な係止手段（２１）を備える、請求項５項記載の電気差込コネクタ。
【請求項７】
湾曲ロック部材（８）は、ハウジング半部（２，３）とは別の材料から製作される、請求項１から６までのいずれか１項記載の電気差込コネクタ。
【請求項８】
湾曲ロック部材は、金属から成る、請求項７記載の電気差込コネクタ。
【発明の詳細な説明】
【技術分野】
【０００１】
本発明は、電気差込コネクタであって、第１のハウジング半部と第２のハウジング半部とから成り、第１のハウジング半部は、それぞれ反対側に位置する２つのＵ字形の湾曲ロック部材を備え、湾曲ロック部材は、それぞれ両側で支承ピンに旋回可能に保持され、湾曲ロック部材は、それぞれ両側で係止突部を備え、係止突部は、凹部を備え、凹部は、湾曲ロック部材を閉鎖する際に、それぞれ第２のハウジング半部のロックピンに作用し、その際、両方のハウジング半部が相互に押し合わされるものに関する。
【０００２】
湾曲ロック部材を備えた差込コネクタは、確実な電気コンタクトを保証するため、また差込コネクタハウジング半部の不意の抜け落ちを防止するために必要である。
【０００３】
背景技術
電気差込コネクタでは、両方のハウジング半部の電気コンタクト要素の確実なコンタクトを保証するために、多くの場合、ハウジング半部は、いわゆる湾曲ロック部材を介して相互に押し合わされる。差込コネクタハウジングへの媒体たとえば塵埃または水分の侵入を防止するために、多くの場合、ハウジング半部の間にシールリングが設けられており、シールリングのシール作用は、湾曲ロック部材が支承ピンとロックピンとの間ひいてはハウジング半部の間に形成する力により保証される。
【０００４】
ドイツ連邦共和国特許１９５０８６０５号明細書には、ハウジング半部を確実にロックするために湾曲ロック部材を備えた電気差込コネクタが例示されており、湾曲ロック部材には、ばね要素が組み込まれている。ばね要素は、力を各ロックピンに及ぼす。
【０００５】
電気差込コネクタのハウジング半部がロック動作前に相互に正確に嵌り合うように上下に位置しない場合、各ハウジング半部の電気コンタクト要素は、垂直に上下に重なり合わない。これにより一方では差込コネクタのロック動作が困難になり、他方では生じる横方向力により電気コンタクト要素の摩耗が高まる。
【０００６】
上述の差込コネクタにおいて、ハウジング半部が傾斜姿勢を占め、湾曲ロック部材がロックピンを介してガイドされる場合、湾曲ロック部材に組み込まれたばねは、片側で伸張し、瞬時にばね力を失うので、差込コネクタハウジング半部の確実なロックはもはや保証されない。
【０００７】
発明の課題
本発明の課題は、電気コンタクト要素の摩耗の少ない差込と差込コネクタハウジング半部の確実なロックとを同時に保証する、湾曲ロック部材を備えた電気差込コネクタを提供することにある。
【０００８】
この課題を解決するために、第１のハウジング半部は、少なくとも１つのブリッジを備え、ブリッジは、両方のハウジング半部が組み合わされた状態で、第２のハウジング半部の、ブリッジのために設けられた凹部に進入し、その際、ハウジング半部は、ロック前に正確に嵌り合うように上下に位置し、湾曲ロック部材は、側方のシールドを備え、シールドは、システム差込コネクタがロックされた状態で、第１のハウジング半部の支承ピンおよび第２のハウジング半部のロックピンをカバーし、各シールドは、支承ピン収容部とロックピンとの間に真っ直ぐな側面を備える。
【０００９】
本発明の好適な態様は、従属請求項に記載されている。
【００１０】
本発明による電気差込コネクタは、２つのハウジング半部から成っており、ハウジング半部は、それぞれ反対側に位置するＵ字形の２つの湾曲ロック部材により相互にロック可能である。湾曲ロック部材の特徴は、湾曲ロック部材が、ロックに関与する構成要素たとえば支承ピン、係止突部および係止フックをロックされた状態でカバーする側方のシールドを備えることにある。これによりこれらの構成要素は、特に周辺環境の影響から保護される。
【００１１】
さらにロックピンは、シールドの後方で、ロックピン用の凹部にガイドされ、これにより確実で均等なロック動作が実現される。
【００１２】
ロック動作中に生じる横方向力による差込モジュールの負荷を回避するために、第１のハウジング半部は、差込方向に隆起する少なくとも１つのブリッジを備えており、ブリッジは、両方のハウジング半部を組み合わせる際に、第２のハウジング半部の、ブリッジのために設けられた凹部に進入するので、ハウジング半部は、正確に嵌り合うように上下に位置する。
【００１３】
ブリッジは、第１のハウジング半部の差込方向に隆起して形成されていて、その際、第２のハウジング半部の凹部に導入する際に、安定性が保証される。このような安定性は、他の構成では、たとえば追加的なガイドピンの使用によってしか保証されない。
【００１４】
これにより、差込コネクタハウジング半部がロック動作に際して常に相互に正確に方向付けされるように保証されている。
【００１５】
電気差込コネクタを媒体たとえば塵埃および／または水分から保護するために、第１のハウジング半部は、環状に延びる（循環して延びる）カラーを備えており、カラーは、シールリングを収容するのに適切である。
【００１６】
係止突部から支承ピン収容部まで、湾曲ロック部材のシールドは、真っ直ぐな側面を形成している。本発明の好適な態様では、それぞれ反対側に位置する湾曲ロック部材の側面は、ロックされた状態で、相互に平行に向けられる。
【００１７】
好適には、第１のハウジング半部は、個々の差込モジュール用の収容領域を備えている。差込モジュールは、電気コンタクト要素を備えている。各収容領域には、種々の電気コンタクト要素を備えた様々な差込モジュールが挿入可能である。
【００１８】
同一出願人のドイツ連邦共和国実用新案登録第２０２００５０２００２６号明細書は、差込モジュールに対する電気差込コンタクト用の保持フレームの装着に関するものである。差込モジュールに関する前掲文献の開示内容は、本願の開示内容に援用されるものとする。
【００１９】
第１のハウジング半部の収容領域に差込モジュールを固定するために、係止突部が設けられており、係止突部は、これに適合する差込モジュールの凹部に係止可能である。
【００２０】
第２のハウジング半部に差込モジュールを収容するために、保持枠が設けられており、保持枠は、同様に個別の差込モジュールとして構成された電気コンタクト要素を収容するのに適切である。
【００２１】
第２のハウジング半部に保持枠を固定するために、係止突部が設けられており、係止突部は、第２のハウジング半部の、係止突部に適合する凹部に係止する。
【００２２】
両方のハウジング半部を組み合わせる際に、差込モジュールの、それぞれ反対側に位置する電気コンタクト要素が相互に電気コンタクトされる。
【００２３】
種々の差込モジュールを電気差込コネクタに装着できることにより、電気差込コネクタは、技術的に多様に使用可能である。
【００２４】
本発明による差込コネクタの全ての構成要素は、プラスチックから製作可能である。特に好適な態様によれば、湾曲ロック部材は、差込コネクタハウジング半部とは別の材料たとえば金属から製作可能である。
【図面の簡単な説明】
【００２５】
【図１】電気差込コネクタの第１のハウジング半部を示す斜視図である。
【図２】電気差込コネクタの第２のハウジング半部を示す平面図である。
【図３】電気差込コネクタの湾曲ロック部材を示す斜視図である。
【図４】第２のハウジング半部の差込モジュール用の保持枠を示す斜視図である。
【図５】差し込まれた状態の電気差込コネクタを示す斜視図である。
【００２６】
発明を実施するための形態
本発明の実施の形態を、図示の態様を用いて詳説する。
【００２７】
図１には、本発明による電気差込コネクタ１の第１のハウジング半部２を斜視図で示している。第１のハウジング半部２は、略矩形のベース面を有しており、ベース面は、収容領域１６を備えており、収容領域１６に、図示していない差込モジュールが挿入可能であり、差込モジュールは、電気コンタクト要素を備えている。差込モジュールは、第１のハウジング半部２の差込領域を形成する。
【００２８】
ハウジング半部２のベース面に孔２８が形成されている。孔２８は、特定の構成要素、たとえば機械ハウジングにハウジング半部２を固定（たとえばねじ止め）するのに適切である。
【００２９】
図示の態様では、差込モジュールは、対向するレール２３に沿って、ハウジング半部２の、差込モジュールのために設けられた収容領域１６に挿入される。差込モジュール用の収容領域１６は、たとえば図１および図２において破線で示している。差込モジュールは、収容領域１６の係止フック１９に係止可能である。
【００３０】
図２には、電気差込コネクタ１の第２のハウジング半部３を示している。第２のハウジング半部３に差込モジュールを装着するために、個別の保持枠２０が設けられており、保持枠２０は、係止手段２１により第２のハウジング半部に係止可能である。図４には、そのような保持枠２０を示している。保持枠２０は、第１のハウジング半部３と同様に差込モジュールを装着することができる。
【００３１】
第１のハウジング半部２は、カラー１８を備えており、カラー１８にシールリング１０が被せ嵌め可能であり、シールリング１０は、組み付けられた完成した差込コネクタハウジング１を、周囲環境たとえば塵埃および湿気からシールする。
【００３２】
第１のハウジング半部２は、２つの支承ピン１２を備えており、支承ピン１２は、湾曲ロック部材８の支承ピン収容部２２（図３）に係合するので、湾曲ロック部材８は、回動可能に保持されている。
【００３３】
図３には、そのような湾曲ロック部材８を示している。係止突部９および支承ピン収容部２２は、側方のシールド７により覆われている。シールド７は、湾曲ロック部材８の側方部分に設けられた真っ直ぐな結合ラインもしくは真っ直ぐな側面１７まで延在している。支承ピン収容部２２は、湾曲ロック部材８の側方部分の壁厚さＢよりも深く形成されているので、湾曲ロック部材８は、第１のハウジング半部２の支承ピン１２から滑落することはない。第１のハウジング半部２は、両側で、湾曲ロック部材８の側方部分に対する凹部５を備えているので、湾曲ロック部材８は、矢印２７の方向に旋回可能である。
【００３４】
第１のハウジング半部２の側方の長手方向枠にブリッジ（突部）４が設けられており、ブリッジ４は、ハウジング半部２，３が組み合わされた状態で、第２のハウジング半部３の、ブリッジ４のために設けられた凹部としての収容部６に正確に嵌り合う（つまりぴったりと位置する）ように導入される。これにより、ハウジング半部がロック動作前に直接に上下に位置するように保証される。ハウジング半部２，３のブリッジ４および収容部６は、差込モジュールを差込ガイドする機能を有している。個々のハウジング半部の差込モジュールの電気コンタクト要素が相互に差し込まれる際に、ブリッジ４は、収容部６に係入する。これにより、対向する電気コンタクト要素が横方向力を吸収する必要がないように保証される。このような構成手段により、電気差込コネクタの摩耗が低減される。
【００３５】
それぞれ反対側に位置する湾曲ロック部材８の相互に接近する方向（上向き）の旋回により、係止突部９は、第２のハウジング半部３のロックピン１３を越えて、ロックピンが係止突部９の凹部１１に至るまでガイドされる。凹部１１は、側方の湾曲ロック部材部分の長手方向に延在している。
【００３６】
図５において、ロックされた状態の電気差込コネクタ１が看取される。それぞれ反対側に位置する湾曲ロック部材の側面１７は、ロックされた状態では平行に向き合う。湾曲ロック部材８の相互に離間する方向（下向き）の旋回により、湾曲ロック部材が開かれ、ハウジング半部２，３は、再び分離可能であり、差込モジュールは再び取り外し可能である。
【００３７】
第２のハウジング半部３は、連結ハウジング２４を備えており、連結ハウジング２４は、ケーブル出口２６を備えている。
【符号の説明】
【００３８】
１  差込コネクタ、  ２  第１のハウジング半部、  ３  第２のハウジング半部、  ４  ブリッジ、  ５  凹部、  ６  収容部、  ７  シールド、  ８  湾曲ロック部材、  ９  係止突部、  １０  シールリング、  １１  凹部、  １２  支承ピン、  １３  ロックピン、  １４  側壁、  １６  差込モジュール用の収容部、  １７  側面（シールド７）、  １８  カラー、  １９  係止フック、  ２０  保持枠、  ２１  係止手段、  ２２  支承ピン収容部、  ２３  レール、  ２４  連結ハウジング、  ２６  ケーブル出口、  ２７  旋回運動／矢印、  ２８  孔、  Ｂ  湾曲ロック部材８の壁厚さ
【図１】
0005383933.tif 000002
【図２】
0005383933.tif 000003
【図３】
0005383933.tif 000004
【図４】
0005383933.tif 000005
【図５】
0005383933.tif 000006